(57)【要約】【課題】入力側ディスクと出力側ディスクとの間に複数のパワーローラを備えるトロイダル型無段変速機において、これらディスクの潤滑油による冷却を効率化する。【解決手段】入力側ディスク２と出力側ディスク３との間には、周方向に沿って２つのパワーローラ１１が並んで配置されている。そして、これら２つのパワーローラ１１の間に、上側のヨーク２３Ａを支持する球面ポスト６４と、下側のヨーク２３Ｂを支持する球面ポスト６８が上下に配置されている。そして、２つの球面ポスト６４，６８のそれぞれに、潤滑ポスト６４ｃ，６８ｃが設けられている。各潤滑ポスト６４ｃ，６８ｃには、入力側ディスク２の内側面２ａに潤滑油を供給する給油ノズル６４ａ，６８ａが設けられている。各潤滑ポスト６４ｃ，６８ｃには、出力側ディスク３の内側面３ａに潤滑油を供給する給油ノズル６４ｂ，６８ｂが設けられている。【選択図】図１
2010180923.tif 000002
【特許請求の範囲】
【請求項１】
それぞれの内側面同士を互いに対向させた状態で互いに同心的に且つ回転自在に支持された入力側ディスクおよび出力側ディスクと、前記入力側ディスクと前記出力側ディスクとの間に挟持されたパワーローラとを備え、前記パワーローラと前記入力側ディスクおよび前記出力側ディスクとの間の界面であるトラクション面に形成される油膜を介したトラクション力により、前記入力側ディスクから前記パワーローラを介して出力側ディスクに動力が伝達されるトロイダル型無段変速機において、
前記パワーローラは、前記入力側ディスクおよび出力側ディスクの周方向に沿って互いに間隔をあけて複数並んで配置され、
前記周方向に沿って並んだ前記パワーローラ同士の間となる箇所で、かつ、当該パワーローラの数と同数となる全ての箇所に、それぞれ前記入力側ディスクの内側面に油を供給する入力側給油ノズルおよび出力側ディスクの内側面に油を供給する出力側給油ノズルが設けられていることを特徴とするトロイダル型無段変速機。
【請求項２】
前記入力側給油ノズルに油を送り出す入力側油路と、前記出力側給油ノズルに油を送り出す出力側油路とがそれぞれ独立して別に設けられていることを特徴とする請求項１に記載のトロイダル型無段変速機。
【請求項３】
前記入力側油路から前記入力側給油ノズルに供給される油量と、前記出力側油路から前記出力側給油ノズルに供給される油量とを運転条件に応じて制御することで、運転条件に応じて一方の油量を他方の油量より多くしたり、少なくしたりする制御を行う油量制御手段を備えることを特徴とする請求項２に記載のトロイダル型無段変速機。
【請求項４】
前記出力側給油ノズルの内径より前記入力側給油ノズルの内径が大きくなっていることを特徴とする請求項１から請求項３のいずれか１項に記載のトロイダル型無段変速機。
【請求項５】
前記入力側給油ノズルの内径より前記出力側給油ノズルの内径が大きくなっていることを特徴とする請求項１から請求項３のいずれか１項に記載のトロイダル型無段変速機。
【発明の詳細な説明】
【技術分野】
【０００１】
本発明は、自動車や各種産業機械の変速機などに利用可能なトロイダル型無段変速機に関する。
【背景技術】
【０００２】
例えば自動車用変速機として用いるダブルキャビティ式トロイダル型無段変速機は、図６および図７に示すように構成されている。図６に示すように、ケーシング５０の内側には入力軸（中心軸）１が回転自在に支持されており、この入力軸１の外周には、２つの入力側ディスク２，２と２つの出力側ディスク３，３とが取り付けられている。また、入力軸１の中間部の外周には出力歯車４が回転自在に支持されている。この出力歯車４の中心部に設けられた円筒状のフランジ部４ａ，４ａには、出力側ディスク３，３がスプライン結合によって連結されている。
【０００３】
入力軸１は、図中左側に位置する入力側ディスク２とカム板７との間に設けられたローディングカム式の押圧装置１２を介して、駆動軸２２により回転駆動されるようになっている。また、出力歯車４は、２つの部材の結合によって構成された仕切壁１３を介してケーシング５０内に支持されており、これにより、入力軸１の軸線Ｏを中心に回転できる一方で、軸線Ｏ方向の変位が阻止されている。
【０００４】
出力側ディスク３，３は、入力軸１との間に介在されたニードル軸受５，５によって、入力軸１の軸線Ｏを中心に回転自在に支持されている。また、図中左側の入力側ディスク２は、入力軸１にボールスプライン６を介して支持され、図中右側の入力側ディスク２は、入力軸１にスプライン結合されており、これら入力側ディスク２は入力軸１と共に回転するようになっている。また、入力側ディスク２，２の内側面（凹面）２ａ，２ａと出力側ディスク３，３の内側面（凹面）３ａ，３ａとの間には、パワーローラ１１（図７参照）が回転自在に挟持されている。
【０００５】
図６中右側に位置する入力側ディスク２の内周面２ｃには、段差部２ｂが設けられ、この段差部２ｂに、入力軸１の外周面１ａに設けられた段差部１ｂが突き当てられるとともに、入力側ディスク２の背面（図６の右面）がローディングナット９に突き当てられている。これによって、入力側ディスク２の入力軸１に対する軸線Ｏ方向の変位が実質的に阻止されている。また、カム板７と入力軸１の鍔部１ｄとの間には、皿ばね８が設けられており、この皿ばね８は、各ディスク２，２，３，３の凹面２ａ，２ａ，３ａ，３ａとパワーローラ１１，１１の周面１１ａ，１１ａとの当接部に押圧力を付与する。
【０００６】
図７は、図６のＢ−Ｂ線に沿う断面図である。図７に示すように、ケーシング５０の内側には、入力軸１に対し捻れの位置にある一対の枢軸１４，１４を中心として揺動する一対のトラニオン１５，１５が設けられている。なお、図７においては、入力軸１の図示は省略している。各トラニオン１５，１５は、支持板部１６の長手方向(図７の上下方向)の両端部に、この支持板部１６の内側面側に折れ曲がる状態で形成された一対の折れ曲がり壁部２０，２０を有している。そして、この折れ曲がり壁部２０，２０によって、各トラニオン１５，１５には、パワーローラ１１を収容するための凹状のポケット部Ｐが形成される。また、各折れ曲がり壁部２０，２０の外側面には、各枢軸１４，１４が互いに同心的に設けられている。
【０００７】
支持板部１６の中央部には円孔２１が形成され、この円孔２１には変位軸２３の基端部（第１の軸部）２３ａが支持されている。そして、各枢軸１４，１４を中心として各トラニオン１５，１５を揺動させることにより、これら各トラニオン１５，１５の中央部に支持された変位軸２３の傾斜角度を調節できるようになっている。また、各トラニオン１５，１５の内側面から突出する変位軸２３の先端部（第２の軸部）２３ｂの周囲には、各パワーローラ１１が回転自在に支持されており、各パワーローラ１１，１１は、各入力側ディスク２，２および各出力側ディスク３，３の間に挟持されている。なお、各変位軸２３，２３の基端部２３ａと先端部２３ｂとは、互いに偏心している。
【０００８】
また、各トラニオン１５，１５の枢軸１４，１４はそれぞれ、一対のヨーク２３Ａ，２３Ｂに対して揺動自在および軸方向(図７の上下方向)に変位自在に支持されており、各ヨーク２３Ａ，２３Ｂにより、トラニオン１５，１５はその水平方向の移動を規制されている。各ヨーク２３Ａ，２３Ｂは鋼等の金属のプレス加工あるいは鍛造加工により矩形状に形成されている。各ヨーク２３Ａ，２３Ｂの四隅には円形の支持孔１８が４つ設けられており、これら支持孔１８にはそれぞれ、トラニオン１５の両端部に設けた枢軸１４がラジアルニードル軸受３０を介して揺動自在に支持されている。また、ヨーク２３Ａ，２３Ｂの幅方向（図６の左右方向）の中央部には、円形の係止孔１９が設けられており、この係止孔１９の内周面は球状凹面として、球面ポスト６４，６８を内嵌している。すなわち、上側のヨーク２３Ａは、ケーシング５０に固定部材５２を介して支持されている球面ポスト６４によって揺動自在に支持されており、下側のヨーク２３Ｂは、球面ポスト６８およびこれを支持する駆動シリンダ３１の上側シリンダボディ６１によって揺動自在に支持されている。
【０００９】
なお、各トラニオン１５，１５に設けられた各変位軸２３，２３は、入力軸１に対し、互いに１８０度反対側の位置に設けられている。また、これらの各変位軸２３，２３の先端部２３ｂが基端部２３ａに対して偏心している方向は、両ディスク２，２，３，３の回転方向に対して同方向(図７で上下逆方向)となっている。また、偏心方向は、入力軸１の配設方向に対して略直交する方向となっている。したがって、各パワーローラ１１，１１は、入力軸１の長手方向に若干変位できるように支持される。その結果、押圧装置１２が発生するスラスト荷重に基づく各構成部材の弾性変形等に起因して、各パワーローラ１１，１１が入力軸１の軸方向に変位する傾向となった場合でも、各構成部材に無理な力が加わらず、この変位が吸収される。
【００１０】
また、パワーローラ１１の外側面とトラニオン１５の支持板部１６の内側面との間には、パワーローラ１１の外側面の側から順に、スラスト転がり軸受であるスラスト玉軸受（スラスト軸受）２４と、スラストニードル軸受２５とが設けられている。このうち、スラスト玉軸受２４は、各パワーローラ１１に加わるスラスト方向の荷重を支承しつつ、これら各パワーローラ１１の回転を許容するものである。このようなスラスト玉軸受２４はそれぞれ、複数個ずつの玉（以下、転動体という）２６，２６と、これら各転動体２６，２６を転動自在に保持する円環状の保持器２７と、円環状の外輪２８とから構成されている。また、各スラスト玉軸受２４の内輪軌道は各パワーローラ１１の外側面（大端面）に、外輪軌道は各外輪２８の内側面にそれぞれ形成されている。
【００１１】
また、スラストニードル軸受２５は、トラニオン１５の支持板部１６の内側面と外輪２８の外側面との間に挟持されている。このようなスラストニードル軸受２５は、パワーローラ１１から各外輪２８に加わるスラスト荷重を支承しつつ、これらパワーローラ１１および外輪２８が各変位軸２３の基端部２３ａを中心として揺動することを許容する。
【００１２】
さらに、各トラニオン１５，１５の一端部(図７の下端部)にはそれぞれ駆動ロッド（トラニオン軸）２９，２９が設けられており、各駆動ロッド２９，２９の中間部外周面に駆動ピストン（油圧ピストン）３３，３３が固設されている。そして、これら各駆動ピストン３３，３３はそれぞれ、上側シリンダボディ６１と下側シリンダボディ６２とによって構成された駆動シリンダ３１内に油密に嵌装されている。これら各駆動ピストン３３，３３と駆動シリンダ３１とで、各トラニオン１５，１５を、これらトラニオン１５，１５の枢軸１４，１４の軸方向に変位させる駆動装置３２を構成している。
【００１３】
このように構成されたトロイダル型無段変速機の場合、入力軸１の回転は、押圧装置１２を介して、各入力側ディスク２，２に伝えられる。そして、これら入力側ディスク２，２の回転が、一対のパワーローラ１１，１１を介して各出力側ディスク３，３に伝えられ、更にこれら各出力側ディスク３，３の回転が、出力歯車４より取り出される。
【００１４】
入力軸１と出力歯車４との間の回転速度比を変える場合には、一対の駆動ピストン３３，３３を互いに逆方向に変位させる。これら各駆動ピストン３３，３３の変位に伴って、一対のトラニオン１５，１５が互いに逆方向に変位する。例えば、図７の左側のパワーローラ１１が同図の下側に、同図の右側のパワーローラ１１が同図の上側にそれぞれ変位する。その結果、これら各パワーローラ１１，１１の周面１１ａ，１１ａと各入力側ディスク２，２および各出力側ディスク３，３の内側面２ａ，２ａ，３ａ，３ａとの当接部に作用する接線方向の力の向きが変化する。そして、この力の向きの変化に伴って、各トラニオン１５，１５が、ヨーク２３Ａ，２３Ｂに枢支された枢軸１４，１４を中心として、互いに逆方向に揺動する。
【００１５】
その結果、各パワーローラ１１，１１の周面１１ａ，１１ａと各内側面２ａ，３ａとの当接位置が変化し、入力軸１と出力歯車４との間の回転速度比が変化する。また、これら入力軸１と出力歯車４との間で伝達するトルクが変動し、各構成部材の弾性変形量が変化すると、各パワーローラ１１，１１およびこれら各パワーローラ１１，１１に付属の外輪２８，２８が、各変位軸２３，２３の基端部２３ａ、２３ａを中心として僅かに回動する。これら各外輪２８，２８の外側面と各トラニオン１５，１５を構成する支持板部１６の内側面との間には、それぞれスラストニードル軸受２５，２５が存在するため、前記回動は円滑に行われる。したがって、前述のように各変位軸２３，２３の傾斜角度を変化させるための力が小さくて済む。
【００１６】
ところで、このようなトロイダル型無段変速機において、パワーローラ１１と入出力側ディスク２，３との動力伝達は、これらの部材表面の損傷を防止すべく、油膜を介したとクラクション力により非接触で行われる（以下、油膜によって形成されるパワーローラ１１と入出力側ディスク２，３との間の界面をトラクション面と称する）。そのため、パワーローラ１１と入出力側ディスク２，３との間に形成されるトラクション面には、トルクを非接触で伝達するための油膜を形成できる十分な量の潤滑油（トラクション油）を供給する必要がある。
【００１７】
また、前記トラクション面では、動力伝達に際して極めて高い面圧が作用しており、当該トラクション面における発熱量が大きなものとなっている。したがって、前記トラクションオイルは、トラクション面の冷却にも用いられている。
そして、トラクション面に潤滑油を供給する構造としては、例えば、図８に示すように、上側のヨーク２３Ａを支持する球面ポスト６４に、前記入力側ディスク２の内側面２ａおよび出力側ディスク３の内側面３ａそれぞれに向けて潤滑油を噴出する入力側給油ノズル（ノズル孔）６４ａ，出力側給油ノズル（ノズル孔）６４ｂを有する潤滑ポスト６４ｃを設けたものが知られている（例えば、特許文献１，２参照）。
【００１８】
なお、潤滑ポスト６４ｃには、入出力側ディスク２，３の内側面２ａ，３ａに潤滑油を噴出する２つの給油ノズル６４ａ，６４ｂの他に、２つのパワーローラ１１，１１の周面１１ａ，１１ａにそれぞれ潤滑油を噴出する２つの給油ノズル（図示略）が設けられている。
また、球面ポスト６４および潤滑ポスト６４ｃは、固定部材５２を介してケーシング５０の内面に固定される。また、固定部材５２に対して球面ポスト６４と、当該球面ポスト６４の先端側（下端側）に配置された潤滑ポスト６４ｃとは、これらを貫通して固定部材５２のネジ孔に螺合するボルト６４ｅにより固定部材５２に締結されている。なお、ボルト６４ｅには、ケーシング５０に設けられた油路６４ｄから入力側給油ノズル６４ａ、出力側給油ノズル６４ｂ等の給油ノズルに至る油路が形成され、これら給油ノズル６４ａ，６４ｂにケーシング５０側から潤滑油が供給される。
【００１９】
また、潤滑ポスト６４ｃには、トラニオン１５の揺動範囲を規制するストッパ６４ｆが取り付けられるとともに、当該ストッパ６４を球面ポスト６４の先端側に押し付ける皿バネ６４ｇが取り付けられている。
また、入力側ディスク２の矢印αおよび出力側ディスク３の矢印βは、揺動するパワーローラ１１とこれら入出力側ディスク２，３とが油膜を介して接触する範囲を示している。
【００２０】
また、別の例としては、入力側ディスク２および出力側ディスク３の入力軸１側となる内周縁部分に潤滑油を溜めてガイドする部材を設け、当該部材を介して入出力側ディスク２，３の内周縁部分から外周側に向けて潤滑油を供給するようにしたものも知られている（例えば、特許文献３，４参照）。なお、入力側ディスク２および出力側ディスク３との間に配置されるパワーローラの数は、２つに限られるものではなく、３つ配置されたものも知られている。
【先行技術文献】
【特許文献】
【００２１】
【特許文献１】特開平１１−２１０８５５号公報
【特許文献２】特開２００４−３０８８６８号公報
【特許文献３】特開平１１−２８０８７６号公報
【特許文献４】特開２００５−２６５１２８号公報
【発明の概要】
【発明が解決しようとする課題】
【００２２】
しかしながら、前記特許文献１，２においては、入力側ディスクおよび出力側ディスクへ潤滑油を供給する給油ノズルが一箇所だけに設けられているので、入力側ディスクおよび出力側ディスクにおいて効率的に冷却される部分、すなわち、給油ノズルから噴出した潤滑油が直接的に当たる部分が、それぞれ１箇所となり、冷却効果が局所的なものとなってしまい、入出力側ディスクを効率的に冷却できず、例えば、入出力側ディスク２，３の冷却に必要な潤滑油量が多くなってしまう可能性がある。この場合に、潤滑油の供給量を多くすることで、潤滑油を供給するポンプの運転に伴なう動力損失の増大を招く虞がある。また、供給される潤滑油量が大きくなると、潤滑油による撹拌抵抗が大きくなってしまう虞がある。また、冷却が不足している場合には、トラクション面が高温となってしまうことでトラクション面における限界トラクション係数を悪化させてしまう虞がある。
【００２３】
前記特許文献３，４では、入出力側ディスクの内周縁側に設けられた部材で、潤滑油が溜められた状態となることで、入出力側ディスクの内側面の略全周に渡って潤滑油が供給され、潤滑油の冷却が局所的になるのを防止できるが、入出力側ディスクの内周縁部分に入出力部材や入力軸と別体に例えばケーシングに支持される新たな部材を配置するため、構造が煩雑になり、組立作業が難しくなったり、コストが増大したりする虞がある。
【００２４】
また、入力側ディスクと出力側ディスクとの間に、例えば、２つのパワーローラが配置される場合に、入力側ディスクおよび出力側ディスクでは、それぞれパワーローラが油膜を介して接触する２箇所の部分で発熱することになり、上述のように入出力側ディスクの１箇所だけが主に冷却される状態では、冷却が非効率的なるが、全体的に分散した状態の潤滑油で冷却される場合も必ずしも効率的と言えない可能性がある。
【００２５】
本発明は、前記事情に鑑みて為されたもので、潤滑油により入出力側ディスクを効率良く冷却することができるトロイダル型無段変速機を提供することを目的とする。
【課題を解決するための手段】
【００２６】
前記目的を達成するために、請求項１に記載のトロイダル型無段変速機は、それぞれの内側面同士を互いに対向させた状態で互いに同心的に且つ回転自在に支持された入力側ディスクおよび出力側ディスクと、前記入力側ディスクと前記出力側ディスクとの間に挟持されたパワーローラとを備え、前記パワーローラと前記入力側ディスクおよび前記出力側ディスクとの間の界面であるトラクション面に形成される油膜を介したトラクション力により、前記入力側ディスクから前記パワーローラを介して出力側ディスクに動力が伝達されるトロイダル型無段変速機において、
前記パワーローラは、前記入力側ディスクおよび出力側ディスクの周方向に沿って互いに間隔をあけて複数並んで配置され、
前記周方向に沿って並んだ前記パワーローラ同士の間となる箇所で、かつ、当該パワーローラの数と同数となる全ての箇所に、それぞれ前記入力側ディスクの内側面に油を供給する入力側給油ノズルおよび出力側ディスクの内側面に油を供給する出力側給油ノズルが設けられていることを特徴とする。
【００２７】
請求項１に記載の発明においては、パワーローラの数と同数となるパワーローラ同士の間となる箇所の全てに、入力側ディスクに油を供給する入力側給油ノズルと、出力側ディスクに油を供給する出力側給油ノズルとを設けているので、回転する入出力側ディスクにおいて、パワーローラと油膜を介して高い面圧で接触することにより、発熱して高温となった部分がパワーローラ同士の間に至ると、給油ノズルから供給される油（潤滑油：トラクション油）により必ず冷却されて、ふたたび別のパワーローラに接触することになる。
すなわち、入出力側ディスクの複数のパワーローラと接触して高温となった複数の部分をそれぞれ直ぐに潤滑油で冷却することが可能となることにより、潤滑油による入出力側ディスクの冷却を効率的に行うことができる。
【００２８】
したがって、入出力側ディスクとパワーローラとのトラクション面およびトラクションオイル（潤滑油）の温度を比較的低温に保つことが可能となり、限界トラクション係数の悪化を防止し、限界トラクション係数の向上を図ることができる。
【００２９】
なお、一般的にトロイダル型無段変速機において、入力側ディスクおよび出力側ディスクに配置されるパワーローラは２個であるが、３個配置されるものも知られている。そして、これらパワーローラは、入力側ディスクと出力側ディスクとの間にこれらディスクの周方向に互いに間隔をあけて並んで配置されるので、これら周方向に沿ったパワーローラの間となる箇所の数は、パワーローラと同数となり、パワーローラが２個ならこれらパワーローラの間となる箇所も２個となる。また、パワーローラが３個ならこれらパワーローラの間となる箇所も３個となる。
【００３０】
請求項２に記載のトロイダル型無段変速機は、請求項１に記載の発明において、前記入力側給油ノズルに油を送り出す入力側油路と、前記出力側給油ノズルに油を送り出す出力側油路とがそれぞれ独立して別に設けられていることを特徴とする。
【００３１】
請求項２に記載の発明においては、出力側給油ノズルに油を供給するための入力側油路と、出力側給油ノズルに油を供給するための出力側油路が別系統とされるので、出力側給油ノズルに供給される油量と、入力側給油ノズルに供給される油量を異なるものとしたり、出力側給油ノズルに供給される油量と、入力側給油ノズルに供給される油量とを別々に制御して変更したりすることが可能となる。
【００３２】
請求項３に記載のトロイダル型無段変速機は、請求項２に記載の発明において、前記入力側油路から前記入力側給油ノズルに供給される油量と、前記出力側油路から前記出力側給油ノズルに供給される油量とを運転条件に応じて制御することで、運転条件に応じて一方の油量を他方の油量より多くしたり、少なくしたりする制御を行う油量制御手段を備えることを特徴とする。
【００３３】
請求項３に記載の発明においては、油量制御手段により、前記入力側給油ノズルから噴出する油量（流量）と、前記出力側給油ノズルから噴出する油量（流量）とを運転条件に応じて変更することで、一方の油量を他方の油量より多くしたり少なくしたりすることが可能となる。
例えば、運転条件として増速時（変速比が小さい状態、パワーローラが入力側ディスクの内周側と、出力側ディスクの外周側に接した状態）には、出力側ディスクに供給される油量を入力側ディスクに供給される油量より多くし、減速時（変速比が大きい状態、パワーローラが入力側ディスクの外周側と、出力側ディスクの内周側に接した状態）には、入力側ディスクに供給される油量を出力側ディスクに供給される油量より多くすることが好ましく、これにより効率的に入出力側ディスクを冷却することができる。
また、入力側ディスクおよび出力側ディスクのうちのトラクション部から次のトラクション部に到達するまでに要する時間が短い方のディスクの口元（内周側の端部)の流量を多くすることが好ましい。これにより、熱容量の少ない口元を冷却することで、高い運転トラクション係数を用いることが可能となる。
なお、油量制御手段は、例えば、入力側油路と出力側油路とのそれぞれに油量を調整する弁を設け、当該弁を制御することで、入力側油路と出力側油路との油の流量をそれぞれ変更するものとしてもよいし、油を入力側油路と出力側油路とに振り分け可能な弁を設け、出力側油路より入力側油路に多くの油量を振り分けたり、入力側油路より出力側油路に多くの油量を振り分けたりするようにしてもよい。また、それぞれ入力側油路と出力側油路とで別々のポンプにより油を供給可能とすることでそれぞれの油量を別々に制御可能としてもよい。
【００３４】
請求項４に記載のトロイダル型無段変速機は、請求項１から請求項３のいずれか１項に記載の発明において、前記出力側給油ノズルの内径より前記入力側給油ノズルの内径が大きくなっていることを特徴とする。
【００３５】
請求項４に記載の発明においては、出力側給油ノズルと入力側給油ノズルとに同じ条件で必要量の油が供給されると、入力側ディスクへの油の供給量が出力側ディスクへの油の供給量より多くなり、出力側ディスクより入力側ディスクの方がより冷却されることになる。したがって、トロイダル型無段変速機を例えば車両に用いた場合に、発進時および低速運転時（減速側）に、高い運転トラクション係数を用いることが可能となる。
【００３６】
請求項５に記載のトロイダル型無段変速機は、請求項１から請求項３のいずれか１項に記載の発明において、前記入力側給油ノズルの内径より前記出力側給油ノズルの内径が大きくなっていることを特徴とする。
【００３７】
請求項５に記載の発明においては、出力側給油ノズルと入力側給油ノズルとに同じ条件で必要量の油が供給されると、出力側ディスクへの油の供給量が入力側ディスクへの油の供給量より多くなり、入力側ディスクより出力側ディスクの方がより冷却されることになる。したがって、トロイダル型無段変速機を例えば車両に用いた場合に、高速運転時（増速側）に、高い運転トラクション係数を用いることが可能となる。
【発明の効果】
【００３８】
本発明のトロイダル型無段変速機によれば、入力側ディスクおよび出力側ディスクを潤滑油により効率的に冷却することが可能となる。すなわち、入出力側ディスクの各パワーローラと油膜を介して接触した複数の部分の全てを接触直後に必ず冷却する構造とすることができ、これにより入出力側ディスクを効率的かつ確実に冷却することが可能となる。
そして、入出力側ディスクを確実に冷却することで、トラクション面およびトラクションオイルとしての潤滑油の温度を低く保つことにより、限界トラクション係数の悪化を防止して、当該限界トラクション係数の向上を図ることができる。
【図面の簡単な説明】
【００３９】
【図１】本発明の第１実施形態のトロイダル型無段変速を示す要部断面図である。
【図２】前記トロイダル型無段変速機の効果を説明するための図面である。
【図３】本発明の第２実施形態のトロイダル型無段変速を示す要部断面図である。
【図４】本発明の第３実施形態のトロイダル型無段変速を示す要部断面図である。
【図５】本発明の第４実施形態のトロイダル型無段変速を示す要部断面図である。
【図６】従来から知られているハーフトロイダル型無段変速機の具体的構造の一例を示す断面図である。
【図７】図６のＡ−Ａ線に沿う断面図である。
【図８】従来のハーフトロイダル型無段変速機の入力側給油ノズルおよび出力側給油ノズルを示す断面図である。
【発明を実施するための形態】
【００４０】
以下、図面を参照しながら、本発明の実施形態について説明する。なお、本発明の特徴は、入出力側ディスクに潤滑油（油）を噴出（供給）する給油ノズルの配置位置の構造にあり、その他の構成および作用は前述した従来の構成および作用と同様であるため、以下においては、本発明の特徴部分についてのみ言及し、それ以外の部分については、図６〜図８と同一の符号を付して簡潔に説明するに留める。
【００４１】
図１は本発明の第１の実施の形態のトロイダル型無段変速機を示す要部断面図である。
図１に示すように、この例のトロイダル型無段変速機においては、上側のヨーク２３Ａを揺動自在に支持する上側の球面ポスト６４の先端側（下側）および下側のヨーク２３Ｂを揺動自在に支持する下側の球面ポスト６８の先端側（上側）にそれぞれ潤滑ポスト６４ｃ、６８ｃが形成されている。
【００４２】
そして、上側の潤滑ポスト６４ｃには、入力側ディスク２の内側面２ａに向けて潤滑油を噴出する入力側給油ノズル６４ａと、出力側ディスク３の内側面３ａに向けて潤滑油を噴出する出力側給油ノズル６４ｂとが設けられている。
また、下側の潤滑ポスト６８ｃには、入力側ディスク２の内側面２ａに向けて潤滑油を噴出する入力側給油ノズル６８ａと、出力側ディスク３の内側面３ａに向けて潤滑油を噴出する出力側給油ノズル６８ｂとが設けられている。
【００４３】
この例では、球面ポスト６４，６８と潤滑ポスト６４ｃ，６８ｃとが一体に形成され、一体の球面ポスト６４，６８および潤滑ポスト６４ｃ，６８ｃ内に入力側給油ノズル（ノズル孔）６４ａ，６８ａおよび出力側給油ノズル（ノズル孔）６４ｂ，６８ｂと連通する油路６４ｈ、６８ｈが形成されている。
すなわち、上側の球面ポスト６４および潤滑ポスト６４ｃにおいては、一つの油路６４ｈから入力側給油ノズル６４ａと出力側給油ノズル６４ｂとの両方に潤滑油が供給されるようになっている。また、下側の球面ポスト６８および潤滑ポスト６８ｃにおいては、一つの油路６８ｈから入力側給油ノズル６８ａと出力側給油ノズル６８ｂとの両方に潤滑油が供給されるようになっている。
【００４４】
また、これら一体とされた球面ポスト６４，６８および潤滑ポスト６４ｃ，６８ｃは、例えば、固定部材等を介してケーシング５０の内面に取り付けられて固定される。そして、ケーシング５０側から油路６４ｈ，６８ｈに潤滑油が供給される。
なお、球面ポスト６４，６８と潤滑ポスト６４ｃ，６８ｃと別体として、従来と同様の油路を有するボルトにより締結する構造としてもよい。
【００４５】
そして、内側面２ａ，３ａ同士を対向させている入力側ディスク２と出力側ディスク３とを入力軸１の一方の端部側から見た場合に、図２に示すように円状に見える入力側ディスク２と出力側ディスク３との間の左右にそれぞれパワーローラ１１，１１が配置された状態となり、これらパワーローラ１１，１１と入出力側ディスク２，３とが油膜を介して接触することになり、この接触部分（楕円状に接触する接触楕円）がトラクション部Ｔとなる。そして、左右のパワーローラ１１，１１の間で入力軸１より上側に上側の潤滑ポスト６４ｃが配置され、入力軸１より下側に下側の潤滑ポスト６８ｃが配置される。
なお、２つのパワーローラ１１，１１は、入力側ディスク２および出力側ディスク３の周方向に沿って互いに間隔をあけて並んで配置された状態となる。この場合に２つのパワーローラ１１，１１の周方向に沿った間は、上側と下側との２箇所となる。
【００４６】
したがって、上側の潤滑ポスト６４ｃは、入力軸１より上側で入力側ディスク２と出力側ディスク３との間に配置されるとともに、図１において、図と直交する方向の手前側と奥側とにそれぞれ配置される２つのパワーローラ１１，１１の周方向に沿った上側の間となる箇所に配置される。すなわち、図２（ｂ）において、左右のトラクション部Ｔ，Ｔの間の上側の白抜きの矢印部分（冷却）に潤滑ポスト６４ｃが配置される。
【００４７】
また、下側の潤滑ポスト６８ｃは、入力軸１より下側で入力側ディスク２と出力側ディスク３との間に配置されるとともに、図１において、図と直交する方向の手前側と奥側とにそれぞれ配置される２つのパワーローラ１１，１１の周方向に沿った下側の間となる箇所に配置される。すなわち、図２（ｂ）において、左右のトラクション部Ｔ，Ｔの間の下側の白抜きの矢印部分（冷却）に潤滑ポスト６８ｃが配置される。
【００４８】
したがって、２つの潤滑ポスト６４ｃ，６８ｃにそれぞれ形成された入力側給油ノズル６４ａ，６８ａと、出力側給油ノズル６４ｂ，６８ｂとは、周方向に沿って並んだパワーローラ１１，１１同士の間となり、かつ、当該パワーローラ１１，１１の数と同数となる全ての箇所に配置されていることになる。
また、入力側給油ノズル６４ａ，６８ａと、出力側給油ノズル６４ｂ，６８ｂとから噴出する潤滑油の入力側ディスク２および出力側ディスク３に当たる位置は、入力側ディスク２および出力側ディスク３のパワーローラ１１，１１が油膜を介して接触するトラクション部Ｔ（接触楕円）より内周側となる。なお、入力側ディスク２および出力側ディスク３とパワーローラ１１，１１との接触楕円の位置は、変速比によって変化するので、ここでは、前記接触楕円の位置が最も内周側となった際の、当該接触楕円の内周側に潤滑油が当たるように入力側給油ノズル６４ａ，６８ａの位置および向きと、出力側給油ノズル６４ｂ，６８ｂの位置および向きとが設定されている。
【００４９】
すなわち、入出力側ディスク２，３とパワーローラ１１，１１とが油膜を介して接触する部分が最も内周側となった際の前記接触部分の入出力側ディスク２，３の径方向に沿った位置もしくは当該径方向に沿った位置よりさらに内周側となる位置に潤滑油を噴出するように、入力側給油ノズル６４ａ，６８ａと、出力側給油ノズル６４ｂ，６８ｂとが設けられている。なお、周方向に沿った位置は、上述のように２つのパワーローラ１１の間となる。
そして、入出力側ディスク２，３の回転により、これら入出力側ディスク２，３の内側面の内周側に付いた潤滑油は、遠心力により外周側に移動する。そこで、パワーローラ１１との最も内周側の接触部分より内周側に潤滑油を噴出すると、パワーローラ１１が入力側ディスク２もしくは出力側ディスク３の最も内周側に接触した状態でもパワーローラ１１と入出力側ディスク２，３とのトラクション部Ｔに十分な潤滑油を供給することができる。
【００５０】
そして、図２（ａ）に示すように、従来、一箇所に設けられた入力側給油ノズル６４ａと、出力側給油ノズル６４ｂとにより、入出力側ディスク２，３の２つのパワーローラ１１，１１のうちの一方のパワーローラ１１と接触するトラクション部Ｔを通過した部分が、当該入出力側ディスク２，３の回転により周方向に沿ってパワーローラ１１，１１同士の間となる位置に来た際に冷却され、ふたたび、他方のパワーローラ１１と接触するトラクション部Ｔに移動する。しかし、他方のパワーローラ１１と接触するトラクション部Ｔを通過した部分が周方向に沿って２つのパワーローラ１１，１１の間の位置に移動しても冷却されない。すなわち、従来は入力側給油ノズル６４ａと、出力側給油ノズル６４ｂとが一箇所にしか設けられていないので、入出力側ディスク２，３の他方のパワーローラ１１とのトラクション部Ｔを通過した部分を冷却できない。そして、他方のパワーローラ１１とのトラクション部Ｔを通過した部分は、冷却されることなく今度は一方のパワーローラ１１と接触することになる。これにより、従来は入出力側ディスク２，３の冷却が効率的に行われないことになる。
【００５１】
それに対してこの例のトロイダル型無段変速機においては、周方向に沿った２つのパワーローラ１１，１１の間の位置となる２箇所にそれぞれ入力側給油ノズル６４ａ，６８ａと、出力側給油ノズル６４ｂ，６８ｂとが設けられているので、図２（ｂ）に示すように、入出力側ディスク２，３の２つのパワーローラ１１と接触する２つのトラクション部Ｔをそれぞれ通過した部分は、それぞれ直ぐにパワーローラ１１同士の間となる部分で必ず潤滑油により冷却される。すなわち、入出力側ディスク２，３のパワーローラ１１に接触して高温になった部分が、冷却されることなく、ふたたびパワーローラ１１と接触して発熱するようなことがなく、入出力側ディスク２，３のパワーローラ１１と接触して高温となった部分は、必ず次にパワーローラ１１と接触する前に冷却されることになる。
【００５２】
したがって、入出力側ディスク２，３が効率的に冷却されることになる。
これにより、入出力側ディスク２，３とパワーローラ１１，１１とのトラクション部の温度を比較的低温に保持することが可能となり、トラクション面における限界トラクション係数の向上を図ることができる。
【００５３】
図３は、本発明の第２の実施の形態のトロイダル型無段変速機を示す要部断面図である。
なお、第２の実施の形態のトロイダル型無段変速機は、第１の実施の形態に対して入力側給油ノズル６４ａ，６８ａおよび出力側給油ノズル６４ｂ，６８ｂに潤滑油を供給する油路の構造と、それに基づく油量の制御を変更したものであり、それ以外の部分については、第１の実施の形態と同様の構成を有するものである。
【００５４】
第１の実施の形態では、一つの油路６４ｈ，６８ｈから入力側給油ノズル６４ａ，６８ａと、出力側給油ノズル６４ｂ，６８ｂとの両方に潤滑油を供給していたのに対して、図３に示すように、第２の実施の形態においては、球面ポスト６４，６８および潤滑ポスト６４ｃ，６８ｃに、入力側給油ノズル６４ａ，６８ａに連通する入力側油路６４ｉ，６８ｉと、出力側給油ノズル６４ｂ，６８ｂに連通する出力側油路６４ｊ，６８ｊとがそれぞれ別々に設けられている。
【００５５】
そして、これら入力側油路６４ｉ，６８ｉおよび出力側油路６４ｊ，６８ｊには、例えポンプから潤滑油が供給されることになるが、ポンプからこれら入力側油路６４ｉ，６８ｉおよび出力側油路６４ｊ，６８ｊには、入力側油路６４ｉ，６８ｉおよび出力側油路６４ｊ，６８ｊに供給される油量を調整する図示しない弁が設けられている。
弁は、入力側油路６４ｉ，６８ｉおよび出力側油路６４ｊ，６８ｊに供給される潤滑油の流量を調整するものであり、入力側油路６４ｉ，６８ｉに供給される潤滑油の流量より出力側油路６４ｊ，６８ｊに供給される潤滑油の流量を多くしたり、逆に少なくしたりする制御を可能としている。
【００５６】
そして、トロイダル型無段変速機には、前記弁を制御して、上述のように入力側油路６４ｉ，６８ｉに供給される潤滑油の流量より出力側油路６４ｊ，６８ｊに供給される潤滑油の流量を多くしたり、逆に少なくしたりする流量制御装置（油量制御手段）を備えている。
流量制御装置は、図示しないトロイダル型無段変速機の制御装置に接続されるか、当該制御装置の一部となっており、当該制御装置から運転条件に関する信号が入力されるようになっている。
【００５７】
ここでは、運転条件として変速比に関する情報が制御装置から流量制御装置に入力されるようになっている。そして、流量制御装置においては、運転条件として増速時（変速比が小さい状態、パワーローラが入力側ディスクの内周側と、出力側ディスクの外周側に接した状態）には、入力側油路６４ｉ，６８ｉに供給される潤滑油の流量より出力側油路６４ｊ，６８ｊに供給される潤滑油の流量を多くし、減速時（変速比が大きい状態、パワーローラが入力側ディスクの外周側と、出力側ディスクの内周側に接した状態）には、出力側油路６４ｊ，６８ｊに供給される潤滑油の流量より入力側油路６４ｉ，６８ｉに供給される潤滑油の流量を多くする。
【００５８】
したがって、例えば高速運転中等の増速時には、入力側給油ノズル６４ａ，６８ａから入力側ディスク２に噴出される潤滑油の油量より、出力側給油ノズル６４ｂ，６８ｂから出力側ディスク３に噴出される潤滑湯の油量の方が多くなる。
また、例えば発進時や低速運転中等の減速時には、出力側給油ノズル６４ｂ，６８ｂから出力側ディスク３に噴出される潤滑油の油量より、入力側給油ノズル６４ａ，６８ａから入力側ディスク２に噴出される潤滑湯の油量の方が多くなる。
これにより入出力側ディスク２，３を運転条件に応じて効率的に冷却することが可能となる。
【００５９】
図４は、本発明の第３の実施の形態のトロイダル型無段変速機を示す要部断面図である。
なお、第３の実施の形態のトロイダル型無段変速機は、第１の実施の形態に対して入力側給油ノズル（ノズル孔）６４ａ，６８ａおよび出力側給油ノズル（ノズル孔）６４ｂ，６８ｂの内径を異なる構造としたものであり、それ以外の部分については、第１の実施の形態と同様の構成を有するものである。
【００６０】
図４に示すように、第３の実施の形態においては、出力側給油ノズル６４ｂ，６８ｂの内径より、入力側給油ノズル６４ａ，６８ａの内径の方が大きくなっている。これにより、第３の実施の形態のトロイダル型無段変速機においては、常時、出力側給油ノズル６４ｂ，６８ｂから出力側ディスク３に噴出される潤滑油の油量より、入力側給油ノズル６４ａ，６８ａから入力側ディスク２に噴出される潤滑湯の油量の方が多くなる。
【００６１】
これにより、この例のトロイダル型無段変速機においては、発進時や低速運転時で変速比が減速側となっている状態において、効率的に入出力側ディスクが冷却されることになり、高い運転トラクション係数を用いることが可能となる。すなわち、減速時に限界トラクション係数が向上することになる。したがって、このようなトロイダル型無段変速機は、例えば、乗用車より重く、発進時に大きな力を必要とするトラックやバスといった商用車で好適に用いることができる。
【００６２】
図５は、本発明の第４の実施の形態のトロイダル型無段変速機を示す要部断面図である。
なお、第４の実施の形態のトロイダル型無段変速機は、第１の実施の形態に対して入力側給油ノズル（ノズル孔）６４ａ，６８ａの内径と出力側給油ノズル（ノズル孔）６４ｂ，６８ｂの内径とを異なる構造としたものであり、それ以外の部分については、第１の実施の形態と同様の構成を有するものである。
図５に示すように、第４の実施の形態においては、入力側給油ノズル６４ａ，６８ａの内径より、出力側給油ノズル６４ｂ，６８ｂの内径の方が大きくなっている。これにより、第４の実施の形態のトロイダル型無段変速機においては、常時、入力側給油ノズル６４ａ，６８ａから入力側ディスク２に噴出される潤滑油の油量より、出力側給油ノズル６４ｂ，６８ｂから出力側ディスク３に噴出される潤滑湯の油量の方が多くなる。
【００６３】
これにより、この例のトロイダル型無段変速機においては、高速運転時で変速比が増速側となっている状態において、効率的に入出力側ディスクが冷却されることになり、高い運転トラクション係数を用いることが可能となる。すなわち、増速時に限界トラクション係数が向上することになる。したがって、このようなトロイダル型無段変速機は、例えば、トラックやバスといった商用車より高速運転を行う可能性が高い乗用車で好適に用いることができる。
【００６４】
なお、上述の第３および第４の実施の形態で示すように入力側給油ノズルと出力側給油ノズルとの内径を異なる状態として、さらに、第２の実施の形態のように、油路を入力側油路と出力側油路とにわけて、各給油ノズルへの潤滑油の供給量を制御するようにしてもよい。この場合に通常時は、油量を制御せずに、例えば、入力側給油ノズルの内径を大きくした場合に高速運転時にだけ入力側給油ノズルの油量を減少させるとともに出力側給油ノズルの油量を増加させるように制御するようにしてもよく、例えば、出力側給油ノズルの内径を大きくした場合に発進時にだけ出力側供給のノズルの油量を減少させるとともに入力側給油ノズルの油量を増加するようにしてもよい。
【産業上の利用可能性】
【００６５】
本発明は、シングルキャビティ型やダブルキャビティ型などの様々なハーフトロイダル型無段変速機の他、トラニオンが無いフルトロイダル型無段変速機にも適用することができる。
【符号の説明】
【００６６】
１      入力軸
２      入力側ディスク
３      出力側ディスク
１１    パワーローラ
６４ａ  入力側給油ノズル
６４ｂ  出力側給油ノズル
６４ｉ  入力側油路
６４ｊ  出力側油路
６８ａ  入力側給油ノズル
６８ｂ  出力側給油ノズル
６８ｉ  入力側油路
６８ｊ  出力側油路
【図１】
2010180923.tif 000003
【図２】
2010180923.tif 000004
【図３】
2010180923.tif 000005
【図４】
2010180923.tif 000006
【図５】
2010180923.tif 000007
【図６】
2010180923.tif 000008
【図７】
2010180923.tif 000009
【図８】
2010180923.tif 000010